(57)【要約】【課題】簡単な構造でフィルムの一時停止位置を安定して決めることができる表示装置を提供する。【解決手段】本体１０に照明手段が設けられており、その前方においてモザイクフィルム１００とマスクフィルム２００が重なるように接している。モザイクフィルム１００はフィルム支持枠２５を介して本体１０に固定されている。マスクフィルム２００はフィルム支持枠３０に取り付けられている。本体１０には複数の駆動機構７０が設けられており、各駆動機構７０は、モータ７２と、回転軸７４と、モータ７２の出力軸７２ａと回転軸７４との間に介在された減速機構７３，７５と、回転軸７４に偏心して設けられた断面円形の偏心カム７７とを備えている。フィルム支持体３０は、上記偏心カムに嵌まる円形のベアリング３３（係合穴）を有している。フィルム支持枠３０は、偏心カム７７の回転により微小円弧を描くようにして間欠移動される。【選択図】　図８
2004012594.tif 000002
【特許請求の範囲】
【請求項１】
（ａ）本体と、
（ｂ）上記本体に設けられた照明手段と、
（ｃ）上記照明手段の前方に配置され、同一面積の複数群の画素を交互に配列して表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムとマスクフィルムのうち一方のフィルムを上記本体に対して所定位置に固定するフィルム固定手段と、
（ｆ）上記モザイクフィルムとマスクフィルムのうち他方のフィルムが取り付けられるフィルム支持体と、
（ｇ）上記本体に設けられフィルム支持体を微小量間欠移動させるフィルム移動手段と、
を備え、上記フィルム支持体の一つの停止位置で上記マスクフィルムの透光部とモザイクフィルムの一つの群の画素とを一致させることにより、一つの画像を表示させ、他の停止位置でマスクフィルムの透光部とモザイクフィルムの他の群の画素とを一致させることにより、他の画像を表示させるようにした表示装置において、
上記フィルム移動手段は、複数の駆動機構と、これら駆動機構を同期させて間欠駆動する制御手段とを備え、各駆動機構は、出力軸を有するモータと、回転軸と、これらモータの出力軸と回転軸との間に介在された減速機構と、上記回転軸に偏心して設けられた断面円形の偏心カムとを備えており、
上記フィルム支持体は、上記偏心カムに嵌まる円形の係合穴を有し、上記駆動機構の間欠駆動に伴い偏心カムが回転することにより、微小円弧を描くようにして間欠移動されることを特徴とする表示装置。
【請求項２】
上記係合穴は、リング形状のベアリングにより形成されていることを特徴とする請求項２に記載の表示装置。
【請求項３】
上記モザイクフィルムには第１〜第４の４つの群の正方形の画素が、正方形の小領域において時計周りまたは反時計回りに順に配置されており、
上記複数の駆動機構のうちの少なくとも１つの駆動機構には位置検出手段が設けられ、この位置検出手段は、上記回転軸が複数の角度位置に達する度にその角度位置を検出し、これら複数の角度位置では、マスクフィルムの透光部がモザイクフィルムの複数群の画素にそれぞれ一致し、
さらに少なくとも一つの駆動機構には他の位置検出手段が設けられ、当該他の位置検出手段は、上記回転軸が複数の角度位置に達する度にその角度位置を検出し、これら複数の角度位置では、マスクフィルムの透光部がモザイクフィルムの複数群の画素にそれぞれ一致し、
最初に述べた位置検出手段で検出される上記回転軸の複数の角度位置と、上記他の位置検出手段で検出される上記回転軸の複数の角度位置は、少なくとも１つが異なっており、
上記制御手段は、
（ｉ）最初に述べた位置検出手段からの検出信号に応答して上記駆動機構を一時停止させることにより、複数群の画素に対応する複数の画像を切り換えて表示する制御モードと、
（ｉｉ）上記他の位置検出手段からの検出信号に応答して上記駆動機構を一時停止させることにより、複数の群の画素に対応する複数の画像を切り換えて表示する他の制御モードと、
を選択可能であることを特徴とする請求項１または２に記載の表示装置。
【請求項４】
最初に述べた位置検出手段は、上記回転軸が１８０°間隔をなす第１，第３角度位置に達する度にその角度位置を検出し、これら第１，第３角度位置で、マスクフィルムの透光部がモザイクフィルムの第１，第３画素にそれぞれ一致し、
上記他の位置検出手段は、回転軸が１８０°毎の第２，第４角度位置に達する度にその角度位置を検出し、これら第２，第４角度位置で、マスクフィルムの透光部がモザイクフィルムの第２，第４画素にそれぞれ一致し、
上記制御手段は、
（ｉ）最初に述べた位置検出手段からの検出信号に応答して駆動機構を一時停止させることにより、第１，第３の２つの群の画素に対応する２つの画像を切り換えて表示する制御モードと、
（ｉｉ）上記他の位置検出手段からの検出信号に応答して駆動機構を一時停止させることにより、第２，第４の２つの群の画素に対応する２つの画像を切り換えて表示する他の制御モードと、
を選択可能であることを特徴とする請求項３に記載の表示装置。
【請求項５】
上記モザイクフィルムには第１〜第４の４つの群の正方形の画素が、正方形の小領域において時計周りまたは反時計回りに順に配置されており、
上記複数の駆動機構のうち少なくとも１つの駆動機構には、第１位置検出手段が設けられ、この第１位置検出手段は上記回転軸が９０°間隔をなす第１〜第４角度位置に達する度にその角度位置を検出し、これら第１〜第４角度位置で、マスクフィルムの透光部がモザイクフィルムの第１〜第４画素にそれぞれ一致し、
さらに少なくとも一つの駆動機構には第２位置検出手段が設けられ、この第２位置検出手段は回転軸が１８０°毎の第１，第３角度位置に達する度にその角度位置を検出し、
さらに少なくとも一つの駆動機構には第３位置検出手段が設けられ、この第３位置検出手段は回転軸が１８０°毎の第２，第４角度位置に達する度にその角度位置を検出し、
上記制御手段は、
（ｉ）上記第１位置検出手段からの検出信号に応答して駆動機構を一時停止させることにより、第１〜第４の４つの群の画素に対応する４つの画像を順に切り換えて表示する第１制御モードと、
（ｉｉ）上記第２位置検出手段からの検出信号に応答して駆動機構を一時停止させることにより、第１，第３の２つの群の画素に対応する２つの画像を切り換えて表示する第２制御モードと、
（ｉｉｉ）上記第３位置検出手段からの検出信号に応答して駆動機構を一時停止させることにより、第２，第４の２つの群の画素に対応する２つの画像を切り換えて表示する制御モードと、
を選択可能であることを特徴とする請求項１または２に記載の表示装置。
【請求項６】
上記位置検出手段は、上記回転軸に取り付けられスリットを形成してなる遮光ディスクと、このスリットを検出する光学的検出手段とを備えることを特徴とする請求項３〜５のいずれかに記載の表示装置。
【発明の詳細な説明】
【０００１】
【発明の属する技術分野】
本発明は、複数の群からなる画素を表示したモザイクフィルムと、一つの群の画素に対応する位置に多数の透光部を形成してなるマスクフィルムを備え、一方のフィルムの他方のフィルムに対する微少量の相対移動により画素群を順次選択して画像の切り換えを行うようにした表示装置に関する。
【０００２】
【従来の技術】
特許２７２９４８２号には、表示画像を切り換えることができる安価な表示装置が開示されている。この表示装置は、正面形状が四角形の枠部を有する本体と、この本体に設けられた照明手段と、この照明手段の前方に配置されたモザイクフィルムおよびマスクフィルムを備えている。モザイクフィルムには、４つの群からなる多数の画素が縦横に規則的に配列されている。マスクフィルムは、一つの群の画素に対応する位置に多数の開口（透光部）を形成してなる。モザイクフィルムとマスクフィルムは、それぞれ光透過可能な平板形状の支持板に支持されており、互いに接するようになっている。そして、モザイクフィルムを支持する支持板（フィルム支持体）を機械的に微少量間欠的に移動させて、４つの群の画素を順次選択的にマスクフィルムの開口に一致させ、これにより４つの画像を順次切り換えて表示するようになっている。
【０００３】
上記モザイクフィルム支持板を移動させるフィルム移動手段について詳述する。このフィルム移動手段は、モザイクフィルム支持板の４隅近傍に配置された駆動機構を備えている。各駆動機構は、モータと、このモータの出力軸に設けられた減速歯車機構とを有している。減速歯車機構の最終段の大きな歯車には、スリットが形成されている。モザイクフィルム支持板の４隅には係合ピンが設けられており、この係合ピンが上記歯車のスリットに挿入されている。スリットには圧縮スプリングが収容されており、このスプリングの両端は、スリットの一端と係合ピンとに当たり、この係合ピンを常時付勢している。また、モザイクフィルム支持板の一つの隅の近傍には、一対の割出ピンが設けられている。これら割出ピンは、隅において交わる２つの面からそれぞれ突出している。これら割出ピンは、本体に設けられた割出凹部にそれぞれ収容されている。
【０００４】
上記モータが駆動して大きな歯車が９０°回る度に、位置検出手段がこれを検出してモータが所定時間だけ一時停止する。この停止状態では、歯車のスリットが傾斜しており、係合ピンがスプリングにより付勢されているため、モザイクフィルム支持体が、左下，左上，右上，右下のいずれかの方向に付勢されている。このモザイクフィルム支持体は、一対の割出ピンが一対の割出凹部のいずれか一方の端に当たることにより位置決めされ、これによりモザイクフィルムの一つの群の画素とマスクフィルムの開口が一致する。
【０００５】
【発明が解決しようとする課題】
しかし上記公報の表示装置では、フィルム移動手段が係合ピン付勢用のスプリングを必要とし、また割出ピンや割出凹部を必要とするため、構造が複雑でありメンテナンスの負担が大きい。また、ばねの弾性力を利用してフィルム支持板の一時停止位置を決めるので、位置決め動作が不安定であり、画素を開口に正確に一致させることができずゴーストが発生する可能性もある。
【０００６】
【課題を解決するための手段】
本発明は、
（ａ）本体と、
（ｂ）上記本体に設けられた照明手段と、
（ｃ）上記照明手段の前方に配置され、同一面積の複数群の画素を交互に配列して表示した光透過性のモザイクフィルムと、
（ｄ）上記モザイクフィルムの前面に重なるように配置され、上記複数群の画素のうち一つの群の画素に対応する位置に多数の透光部を形成した光透過不能なマスクフィルムと、
（ｅ）上記モザイクフィルムとマスクフィルムのうち一方のフィルムを上記本体に対して所定位置に固定するフィルム固定手段と、
（ｆ）上記モザイクフィルムとマスクフィルムのうち他方のフィルムが取り付けられるフィルム支持体と、
（ｇ）上記本体に設けられフィルム支持体を微小量間欠移動させるフィルム移動手段と、
を備え、上記フィルム支持体の一つの停止位置で上記マスクフィルムの透光部とモザイクフィルムの一つの群の画素とを一致させることにより、一つの画像を表示させ、他の停止位置でマスクフィルムの透光部とモザイクフィルムの他の群の画素とを一致させることにより、他の画像を表示させるようにした表示装置において、
上記フィルム移動手段は、複数の駆動機構と、これら駆動機構を同期させて間欠駆動する制御手段とを備え、各駆動機構は、出力軸を有するモータと、回転軸と、これらモータの出力軸と回転軸との間に介在された減速機構と、上記回転軸に偏心して設けられた断面円形の偏心カムとを備えており、
上記フィルム支持体は、上記偏心カムに嵌まる円形の係合穴を有し、上記駆動機構の間欠駆動に伴い偏心カムが回転することにより、微小円弧を描くようにして間欠移動されることを特徴とする。
【０００７】
上記構成によれば、偏心カムと円形の係合穴により、フィルム支持体を安定して間欠移動できるとともに正確に位置決めすることができ、構造も非常に簡単である。
【０００８】
好ましくは、上記係合穴は、リング形状のベアリングにより形成されている。これにより、フィルム支持体を円滑に、かつ一層安定して間欠移動することができる。
【０００９】
本発明の好ましい態様として、
上記モザイクフィルムには第１〜第４の４つの群の正方形の画素が、正方形の小領域において時計周りまたは反時計回りに順に配置されており、
上記複数の駆動機構のうちの少なくとも１つの駆動機構には位置検出手段が設けられ、この位置検出手段は、上記回転軸が複数の角度位置に達する度にその角度位置を検出し、これら複数の角度位置では、マスクフィルムの透光部がモザイクフィルムの複数群の画素にそれぞれ一致し、
さらに少なくとも一つの駆動機構には他の位置検出手段が設けられ、当該他の位置検出手段は、上記回転軸が複数の角度位置に達する度にその角度位置を検出し、これら複数の角度位置では、マスクフィルムの透光部がモザイクフィルムの複数群の画素にそれぞれ一致し、
最初に述べた位置検出手段で検出される上記回転軸の複数の角度位置と、上記他の位置検出手段で検出される上記回転軸の複数の角度位置は、少なくとも１つが異なっており、
上記制御手段は、
（ｉ）最初に述べた位置検出手段からの検出信号に応答して上記駆動機構を一時停止させることにより、複数群の画素に対応する複数の画像を切り換えて表示する制御モードと、
（ｉｉ）上記他の位置検出手段からの検出信号に応答して上記駆動機構を一時停止させることにより、複数の群の画素に対応する複数の画像を切り換えて表示する他の制御モードと、
を選択可能であることを特徴とする。
この構成によれば、画像切り換え表示の態様を選択することができる。
【００１０】
さらに好ましくは、最初に述べた位置検出手段は、上記回転軸が１８０°間隔をなす第１，第３角度位置に達する度にその角度位置を検出し、これら第１，第３角度位置で、マスクフィルムの透光部がモザイクフィルムの第１，第３画素にそれぞれ一致し、
上記他の位置検出手段は、回転軸が１８０°毎の第２，第４角度位置に達する度にその角度位置を検出し、これら第２，第４角度位置で、マスクフィルムの透光部がモザイクフィルムの第２，第４画素にそれぞれ一致し、
上記制御手段は、
（ｉ）最初に述べた位置検出手段からの検出信号に応答して駆動機構を一時停止させることにより、第１，第３の２つの群の画素に対応する２つの画像を切り換えて表示する制御モードと、
（ｉｉ）上記他の位置検出手段からの検出信号に応答して駆動機構を一時停止させることにより、第２，第４の２つの群の画素に対応する２つの画像を切り換えて表示する他の制御モードと、
を選択可能であることを特徴とする。
この構成によれば、全く異なる画像を異なる表示モードで表示することができる。しかもフィルム支持体の間欠移動の移動量を等しくでき、観察者に違和感を与えない。
【００１１】
さらに、本発明の他の好ましい態様として、
上記モザイクフィルムには第１〜第４の４つの群の正方形の画素が、正方形の小領域において時計周りまたは反時計回りに順に配置されており、
上記複数の駆動機構のうち少なくとも１つの駆動機構には、第１位置検出手段が設けられ、この第１位置検出手段は上記回転軸が９０°間隔をなす第１〜第４角度位置に達する度にその角度位置を検出し、これら第１〜第４角度位置で、マスクフィルムの透光部がモザイクフィルムの第１〜第４画素にそれぞれ一致し、
さらに少なくとも一つの駆動機構には第２位置検出手段が設けられ、この第２位置検出手段は回転軸が１８０°毎の第１，第３角度位置に達する度にその角度位置を検出し、
さらに少なくとも一つの駆動機構には第３位置検出手段が設けられ、この第３位置検出手段は回転軸が１８０°毎の第２，第４角度位置に達する度にその角度位置を検出し、
上記制御手段は、
（ｉ）上記第１位置検出手段からの検出信号に応答して駆動機構を一時停止させることにより、第１〜第４の４つの群の画素に対応する４つの画像を順に切り換えて表示する第１制御モードと、
（ｉｉ）上記第２位置検出手段からの検出信号に応答して駆動機構を一時停止させることにより、第１，第３の２つの群の画素に対応する２つの画像を切り換えて表示する第２制御モードと、
（ｉｉｉ）上記第３位置検出手段からの検出信号に応答して駆動機構を一時停止させることにより、第２，第４の２つの群の画素に対応する２つの画像を切り換えて表示する制御モードと、
を選択可能であることを特徴とする。
この構成によれば、３つの表示モードを選択することができる。
【００１２】
好ましくは、上記位置検出手段は、上記回転軸に取り付けられスリットを形成してなる遮光ディスクと、このスリットを検出する光学的検出手段とを備える。この構成により、非接触式で回転軸の角度位置を検出でき、耐久性を向上させることができる。
【００１３】
【発明の実施の形態】
以下、本発明の一実施形態をなす表示装置について、図面を参照しながら説明する。図１に示すように、表示装置は、本体１０と、カバー１５と、モザイクフィルム支持枠２５（モザイクフィルム支持体）に囲われたフィルム受板２０と、マスクフィルム支持枠３０（マスクフィルム支持体）とを大きな構成要素として備えている。後述するように、モザイクフィルム支持枠２５（以下、単にフィルム支持枠２５と称す）にはモザイクフィルム１００が取り付けられ、マスクフィルム支持枠３０（以下、単にフィルム支持枠３０と称す）にはマスクフィルム２００が取り付けられる。
【００１４】
図１、図２に示されているように、上記本体１０は、金属製の板により浅い箱形状に形成され、正面形状が四角形をなす枠部１０ａと後壁１０ｂとを有している。本体１０の前側開口が上記カバー１５により開閉可能に塞がれている。カバー１５は、金属薄板からなる四角形の枠板１５ａと、この枠板１５ａに固定された透明板１５ｂとからなる。
【００１５】
本体１０の内部空間において、その後壁１０ｂの近傍には、複数の蛍光管４０（照明手段）が、上下に等間隔をなして水平に配置されている。図３、図６に良く示されているように、本体１０の左右縁部には、垂直に延びるブラケット１１が固定されており、このブラケット１１に、上記蛍光管４０を接続するためのソケット４１が固定されている。
【００１６】
図２にのみ示すように、本体１０の枠部１０ａの下壁には排気口１０ｘが形成され、この排気口１０ｘにはファン９５が取り付けられている。他方、本体１０の枠部１０ａの上壁には吸気口１０ｙが形成され、この吸気口１０ｙにはフィルタ９６が取り付けられている。
【００１７】
図１、図２，図４に示すように、上記本体１０の枠部１０ａの内周には、全周にわたって取付フランジ１２が垂直に（本体１０の後壁１０ｂと平行をなして）固定されている。この取付フランジ１２には、上記フィルム支持枠２５が位置調節された後で固定される。
【００１８】
上記フィルム受板２０は、図１，図５に示すように正面から見て四角形をなしている。フィルム受板２０は、ガラスや、ポリカーボネート等の硬質の透明樹脂からなり、図１，図２，図７に最も良く示すように、縦断面形状が円弧形状をなし前方に凸となるように湾曲している。すなわち、非常に大きな曲率半径の円筒を縦割りして得られる形状を有している。このフィルム受板２０の前面には、後方からの蛍光管４０の光を拡散する半透明の拡散フィルム２２が貼り付けられている。この拡散フィルム２２はフィルム受板２０の一部をなし、その前面がフィルム受面２０ａとして提供される。
【００１９】
上記フィルム受面２０ａは円筒面（上下が対称をなす凸曲面）からなり、垂直平面（フィルム受け面２０ａの上下の基準縁部と直交する平面）に沿う断面形状が円弧（凸曲線）をなし、水平平面（上記基準縁部と平行をなす平面）に沿う断面形状が直線をなす。
【００２０】
上記フィルム受板２０の周縁部の後面には同材質の枠２３が固着されており、その外周面と後面には、それぞれ断面Ｌ字形で正面から見て四角形をなす金属製の補強金具２５ａ，２５ｂが接着等の手段で固定されている。補強金具２５ａ，２５ｂは互いに接してネジ等の手段で固定されており、両者によりフィルム支持枠２５が構成されている。
【００２１】
図４，図６に示すように、上記フィルム支持枠２５の上縁部と下縁部において垂直をなす板部分の中央には、位置決めピン２６が前方に突出するようにして固定されている。
【００２２】
また、上記フィルム支持枠２５の上縁部と下縁部には、それぞれ複数のねじりばねからなるテンションスプリング２８（引張り手段）が間隔をおいて取り付られている。このテンションスプリング２８は、一端がＵ字形をなしてフィルム支持枠２５の前面に固定され、他端が前方へ突出して引っ掛け部２８ａとなっている。
【００２３】
図１２（Ａ）に示すように、モザイクフィルム１００の上縁部および下縁部の中央には位置決め穴１０１が形成されており、さらに上縁部および下縁部には複数の引っ掛け穴１０２が形成されている。図７に示すように、上下の位置決め穴１０１を上記位置決めピン２６に嵌め、上下縁部の引っ掛け穴１０２をテンションスプリング２８の引っ掛け部２８ａに引っ掛けることにより、モザイクフィルム１００がフィルム支持枠２０に取り付けられている。
【００２４】
上記取り付け状態で、モザイクフィルム１００はフィルム受板２０の円弧面をなすフィルム受面２０ａに接するとともに、上下縁部がテンションスプリング２８で引っ張られているので、フィルム受面２０ａに密着することができる。なお、このモザイクフィルム１００の装着の際に、フィルム受面２０ａとモザイクフィルム１００との間に空気が残ることがあるが、この場合にはモザイクフィルム１００の上からローラを転がすことにより、空気を逃がす。
【００２５】
上記フィルム支持枠２５は、本体１０のフランジ１２に位置調節可能に固定される。図４に示すように、本体１０の左右縁部には上下位置調節機構５０と左右位置調節機構６０が設けられている。上下位置調節機構５０は、図９に最も良く示されているように、上記取付フランジ１２に固定されたブラケット５１を有している。ブラケット５１の下端縁には、係止鍔部５１ａが形成されている。ブラケット５１には前方（図９において紙面と直交する方向）に延びるピン５２が設けられ、このピン５２にはリンク５３の中間部が回動可能に連結されている。
【００２６】
上記リンク５３の一端部（フィルム支持枠２５側の端部）は、回転可能なローラ５３ａ（受部）を有している。上記リンク５３の他端部には、垂直に延びるねじ穴５５ａを有する円柱形状のブロック５５が回動可能に挿入されている。このブロック５５のねじ穴５５ａには、ねじロッド５６の上端部に形成された雄ねじ部５６ａがねじ込まれている。ねじロッド５６は上部に比べて下部の径が太くなっており、上部が上記係止鍔部５１ａを貫通しており、その中間に形成された段差５６ｂが係止鍔５１ａに係止されるようになっている。ねじロッド５６の上部には圧縮コイルスプリング５４が巻かれており、その上下端はリンク５３とブラケット５１の係止鍔部５１ａに当たっている。このコイルスプリング５４は、後述するようにリンク５３にフィルム支持枠２５の荷重が付与される前に、リンク５３の他端部を上方に付勢し、ねじロッド５６を上方に付勢しており、ねじロッド５６の段差５６ｂが係止鍔部５１ａに当たった状態、すなわちリンク５３が水平姿勢にある状態を維持する役割を担う。
【００２７】
上記ねじロッド５６の下端にはユニバーサルジョイント５７を介して操作ロッド５８の上端が連結されている。この操作ロッド５８の下端には操作ダイヤル５９が設けられている。
【００２８】
他方、図５，図９に示すように、フィルム支持枠２５の左右の縁部の前面には、細長く水平に延びるブロック５４（載置部）が固定されている。このブロック５４はフィルム支持枠２５の縁から突出しており、上記リンク５３のローラ５３ａに載せられている。このフィルム支持枠２５の荷重は、上記ねじロッド５６の段差５６ｂが係止鍔部５１ａに係止されることにより、負担できるようになっている。
【００２９】
上記のようにリンク５３のローラ５３ａにフィルム支持枠２５のブロック２９が載った状態において、上記操作ダイヤル５９を回すと、操作ロッド５８，ユニバーサルジョイント５７を介してねじロッド５６が回り、このねじロッド５６の雄ねじ部５６ａとブロック５５のねじ穴５５ａとの螺合作用により、リンク５３が回動調節され、これに伴いローラ５３ａの上下位置が調節され、その結果ブロック２９を固定したフィルム支持枠２５の側縁部の上下位置が調節される。
【００３０】
上記左右位置調節機構６０は、図１０に最も良く示されているように、本体１０の取付フランジ１２に固定されたブロック６１（支持部材）と、このブロック６１にねじ込まれて左右方向に水平に延びる押圧ロッド６２（押圧部材）と、この押圧ロッド６２の中途部に設けられた操作ダイヤル６３とを有している。他方、フィルム支持枠２５の左右の縁部の前面にはブロック２７が固定されている。このブロック２７のほぼ垂直をなす側面は、上記押圧ロッド６２の先端が当たる受面２７ａとして提供される。上記操作ダイヤル６３を回して押圧ロッド６２の突出量を変えることにより、この押圧ロッド６２の先端に当たるブロック２７の左右位置、ひいてはフィルム支持枠２５の左右位置が調節される。なお、上記上下位置調節機構５０のブロック２９は揺動リンク５３のローラ５３ａに載っていて左右方向に移動可能であるため、この位置調節機構６０によるフィルム支持枠２５の左右位置調節を許容することができる。
【００３１】
図４に示すように、上記本体１０の取付フランジ１２の左右縁部には、それぞれ上下に離れて複数のボルト６５が固定されている。図６，図１０に示すように、このボルト６５は前方に突出しており、上記フィルム支持枠２５の左右縁部に形成された穴２５ｘに遊びを介して貫通している。フィルム支持枠２５を取付フランジ１２の前面に当接させた状態でボルト６５に螺合されたナット６７を締め付けることにより、フィルム支持枠２５が取付フランジ１２に固定される。このボルト６５とナット６７は、フィルム固定手段を構成している。
【００３２】
図１〜図３に示すように、上記フィルム支持枠３０は、断面四角形の４本のパイプを溶接等により連結することにより、正面形状が四角形に形成されている。このフィルム支持枠３０は、図２、図６、図８に良く示されているように、本体１０の後壁１０ｂと取付フランジ１２との間に配置されている。図８に示すように、フィルム支持枠３０の上面と下面には、断面Ｕ字形をなす細長いブラケット３１が固定されている。他方、本体１０の枠部１０ａの上下の壁には細長い案内ブロック１３が固定されている。上記ブラケット３１を案内ブロック１３に嵌めることにより、フィルム支持枠３０は垂直平面に沿って移動可能となっている。
【００３３】
図２，図３に示すように、本体１０の上縁部の左右両端近傍と本体１０の下縁部の中央近傍には駆動機構７０が設置されており、これら３つの駆動機構７０と後述のコントローラ８０（制御手段）により、上記フィルム支持枠３０を微小円軌跡を描くように移動するフィルム移動手段が構成されている。
【００３４】
図８に最も良く示されているように、上側の駆動機構７０はハウジング７１を有している。このハウジング７１の下面にはパルスモータ７２が固定されている。パルスモータ７２の出力軸７２ａは垂直に延びてハウジング７１内に入っており、この出力軸７２ａにはウォーム７３が設けられている。ハウジング７１には、前後方向に水平に延びる回転軸７４が回転可能に支持されている。この回転軸７４にはホイール７５が設けられており、このホイール７５が上記ウォーム７３と噛み合っている。これらウォーム７３とホイール７５により減速歯車機構（減速機構）が構成されている。
【００３５】
上記回転軸７４はハウジング７１から前方に突出し、その小径の先端は、ハウジング７１の前面に固定されたブラケット７６に回転可能に支持されている。回転軸７４の先端近傍には偏心カム７７が形成されている。この偏心カム７７は、断面円形をなし、その中心が回転軸７４の中心軸Ｏから偏位している。他方、フィルム支持枠３０の上縁部の下面には垂直をなす支持板３２が固定されており、この支持板３２には係合穴を形成する円形リング形状のボールベアリング３３が設けられている。このボールベアリング３３に上記偏心カム７７が挿入されている。
【００３６】
下側の駆動機構７０は、ハウジング７１とパルスモータ７２との上下関係が逆になるだけで、上側の駆動機構７０と構造は同じであるので、説明を省略する。フィルム支持枠３０の荷重は、３つのベアリング３３を介して３つの駆動機構７０の回転軸７４により負担されている。
【００３７】
上記３つの駆動機構７０のパルスモータ７２は、図３に示すように本体１０の後壁１０ｂに設置されたコントローラ８０により、同期して間欠駆動されるようになっている。コントローラ８０は、図８に示すように、上側の駆動機構７０にそれぞれ設けられた第１，第２の位置検出器８１，８２からの検出信号と、下側の駆動機構７０に設けられた第１位置検出器８１および第３位置検出器８３（図１１（Ｃ）にのみ示す）に応答して、３つのパルスモータ７２を制御する。
【００３８】
図８，図１１に示すように、位置検出器８１，８２，８３は、それぞれ回転軸７４に固定された遮光ディスク８１ｘ，８２ｘ，８３ｘと、この遮光ディスク８１ｘ，８２ｘ，８３ｘの前側と後側に配置された発光器８１ｙ，８２ｙ，８３ｙと受光器８１ｚ，８２ｚ、８３ｚ（光学的検出手段）とを備えている。
【００３９】
図１１（Ａ）に示すように、第１位置検出器８１の遮光ディスク８１ｘには、径方向に延びる４つのスリット８１ａ〜８１ｄ（透光部）が９０°間隔で形成されている。図１１（Ｂ）に示すように、第２位置検出器８２の遮光ディスク８２ｘには、径方向に延びる２つのスリット８２ａ，８２ｃが１８０°間隔で形成されている。図１１（Ｃ）に示す第３の位置検出器８３の遮光ディスク８３ｘにも、第２位置検出器８２と同様に、２つのスリット８３ｂ，８３ｄが１８０°間隔で形成されている。上記位置検出器８１〜８３において、スリットが発光部と受光部との間に位置した時に、受光部でこのスリットを光学的に検出し、位置検出信号を出力するようになっている。
【００４０】
３つの第１位置検出器８１では、全ての遮光ディスク８１ｘ、８２ｘ、８３ｘのスリットは対応位置関係にあり、例えば第１位置検出器８１でスリット８１ａが検出される時には、他の位置検出器８２，８３でスリット８２ａ，８３ａが検出されるようになっている。
【００４１】
上側の２つの駆動機構７０における第２位置検出器８２の遮光ディスク８２ｘのスリット同士も対応位置関係にある。また、第２位置検出器８２の遮光ディスク８２ｘのスリット８２ａ，８２ｃは、第１位置検出器８１の遮光ディスク８１ｘのスリット８１ａ，８１ｃと対応位置関係にあり、第３位置検出器８３の遮光ディスク８３ｘのスリット８３ｂ，８３ｄは、第１位置検出器８１の遮光ディスク８１ｘのスリット８１ｂ、８１ｄと対応位置関係にある。
【００４２】
図３，図８に示すように、上記フィルム支持枠３０の上縁部と下縁部の前面には前方に突出する位置決めピン３６が設けられ、その左右には複数のねじりばねからなるテンションスプリング３８が取り付られている。上側の位置決めピン３６は図示しないスプリングにより上方に付勢されている。テンションスプリング３８は、一端がフィルム支持枠３０の前面に固定され、他端が前方へ突出して引っ掛け部３８ａとなっている。これら位置決めピン３６，テンションスプリング３８は、本体１０の取付フランジ１２の上下辺部に形成された通し穴１２ａ（図４，図８参照）を通って取付フランジ１２の前方へ突出している。
【００４３】
図１３（Ｂ）に示すように、マスクフィルム１００の上縁部および下縁部の中央には位置決め穴２０１が形成されており、さらに上縁部および下縁部には間隔をおいて複数の引っ掛け穴２０２が形成されている。図８に示すように、上下の位置決め穴２０１を上記位置決めピン３６に嵌め、上下縁部の引っ掛け穴２０２をテンションスプリング３８の引っ掛け部３８ａに引っ掛けることにより、マスクフィルム２００がフィルム支持枠３０に取り付けられている。
【００４４】
上記マスクフィルム２００はフィルム受板２０の円弧面をなすフィルム受面２０ａに、モザイクフィルム１００を介して装着される。マスクフィルム２００は上下縁部をテンションスプリング３８で引っ張られているので、モザイクフィルム１００に密着することができる。
【００４５】
なお、図１２（Ｂ），図８に示すように、マスクフィルム２００の上下縁部には逃がし穴２０３が形成されており、この逃がし穴２０３にモザイクフィルム１００のための位置決めピン２６，テンションスプリング２８が通るため、これらがマスクフィルム２００の装着の際に支障となることはない。
【００４６】
上記モザイクフィルム１００は、図１２（Ａ）に示すように、四角の透明樹脂製のフィルム材からなり、四角のモザイク画像表示領域１１０を有している。このモザイク画像表示領域１１０は、多数の小領域に区分けされている。図１３（Ａ）に想像線で囲んで示すように、この小領域１１１は正方形をなしており、この小領域１１１には４つの群に属する正方形の画素１ａ〜１ｄが一つずつ表示されている。第１群に属する画素１ａは、小領域１１１の左上に位置し、第２群に属する画素１ｂは右上に位置し、第３群に属する画素１ｃは右下に位置し、第４群に属する画素１ｄは左下に位置している。
【００４７】
上記マスクフィルム２００は四角の不透明樹脂製のフィルム材からなり、図１２（Ｂ）に示すように、上記モザイクフィルム１００のモザイク画像表示領域１１０に対応する画像透過領域２１０を有している。この画像透過領域２１０には、図１３（Ｂ）に示すように多数の正方形の開口２（透光部）が縦横に等間隔をおいて多数形成されている。この開口２は、上記モザイクフィルム１００の１つ群の画素例えば画素１ａに対応した位置に形成されており、この画素と等しい面積を有している。
【００４８】
上記構成をなす表示装置による作用を説明する。コントローラ７２は、３つの駆動機構７０のパルスモータ７２を同期駆動する。パルスモータ７２が駆動されるとウォーム７３が回転し、この回転がホイール７５を介して減速されて回転軸７４に伝達される。すると、回転軸７４に設けられた偏心カム７７が回動し、この偏心カム７７の回動がベアリング３３を介してフィルム支持枠３０に伝達される。すなわち、偏心カム７７の中心が回転軸７４の中心軸の周りを回り、この運動がそのままフィルム支持枠３０に伝達される。その結果、上記マスクフィルム２００は、図１３（Ｂ）に示すように、上記モザイクフィルム１００に対して時計回り方向（または反時計回り方向）に微小円軌跡Ｔを描いて移動する。なお、フィルム支持枠３０はフィルム受板２０の重量を担わないので、駆動機構７０の荷重負担を軽減できる。
【００４９】
まず、第１の制御モードについて説明する。コントローラ８０は、第１位置検出器８１で遮光ディスク８１ｘのスリット８１ａ〜８１ｂを検出する度に所定時間一時停止するようにしてパルスモータ７２を駆動する。第１位置検出器８１がスリット８１ａを検出して（回転軸７４の第１角度位置を検出して）パルスモータ７２が停止した時には、マスクフィルム２００の開口２が微小円軌跡Ｔ上の点Ｐａで停止し、モザイクフィルム１００の第１群の画素１ａに一致する。その結果、第１群の画素１ａの集合により第１の画像が表示される。
【００５０】
第１位置検出器８１がスリット８１ｂを検出して（回転軸７４の第２角度位置を検出して）停止した時には開口２が円軌跡Ｔ上の点Ｐｂで停止して第２群の画素１ｂに一致し、第２の画像を表示する。スリット８１ｃを検出した時（回転軸７４の第３角度位置を検出した時）には、開口２が点Ｐｃで停止して第３群の画素１ｃに一致し第３の画像を表示する。スリット８１ｄを検出した時（回転軸７４の第４角度位置を検出した時）には、開口２が点Ｐｄで停止して第４群の画素１ｄに一致し、第４の画像を表示する。このようにして第１〜第４の画像を順に繰り返し表示する。
【００５１】
次に第２の制御モードについて説明する。コントローラ８０は、第２位置検出器８２で遮光ディスク８２ｘのスリット８２ａ，８２ｃを検出する度に所定時間一時停止するようにしてパルスモータ７２を駆動する。スリット８２ａを検出して停止した時にはマスクフィルム２００の開口２がモザイクフィルム１００の第１群の画素１ａに一致して第１の画像を表示し、スリット８２ｃを検出して停止した時には開口２が第３群の画素１ｃに一致して第３の画像を表示する。このようにして第１，第３の画像を交互に繰り返し表示する。
【００５２】
次に第３の制御モードについて説明する。コントローラ８０は、第３位置検出器８３で遮光ディスク８３ｘのスリット８３ｂ，８３ｄを検出する度に所定時間一時停止するようにしてパルスモータ７２を駆動する。スリット８３ｂを検出して停止した時にはマスクフィルム２００の開口２がモザイクフィルム１００の第２群の画素１ｂに一致して第２の画像を表示し、スリット８３ｄを検出して停止した時には開口２が第４群の画素１ｄに一致して第４の画像を表示する。このようにして第２，第４の画像を交互に繰り返し表示する。
【００５３】
上記制御モードはモード選択スイッチにより指定してもよいし、タイマからの時間帯情報に基づき制御モードを切り換えてもよい。なお、第２制御モードと第３制御モードを時間帯に応じて選択してもよい。例えば午前中は清涼飲料水の広告画像である第１，第３画像を表示し、午後は、アルコール飲料水の広告画像である第２，第４画像を表示する。
【００５４】
上記表示状態において、蛍光管４０から発せられる熱が本体１０内に蓄えられ、特に夏場には上部で高温になることが予想される。本実施形態では、表示動作を行っている時にファン９５を駆動させることにより、本体１０の上縁部からフィルタ９６を介して外気を吸入し、内部空気を下縁部から排出している。そのため、本体１０の上部には新鮮な空気が入り込むので高温にならず、また温度勾配もほぼ均等になる。その結果、フィルム２０，３０の熱膨張を防止でき、ゴーストの発生を防止できる。
【００５５】
上記構成をなす表示装置の組み立てについて説明する。予め本体１０には蛍光灯４０，位置調節機構５０，６０，駆動機構７０，コントローラ８０，ファン９５，フィルタ９６等を組み込んでおく。取付フランジ１２を取り付ける前にフィルム支持枠３０を駆動機構７０に取り付ける。次に、取付フランジ１２を本体１０に固定する。次に、フランジ１２にフィルム支持枠２５を当接し、左右のブロック２９を上下位置調節機構５０のリンク５３に載せてその荷重を負担させる。この状態でボルト６５をフィルム支持枠２５の穴２５ｘに通し、このボルト６５にナット６７を螺合させておく。なお、ナット６７は強く締め付けず、フィルム支持枠２５が垂直面上を移動可能にしておく（仮止め状態）。
【００５６】
次に、フィルム支持枠２５に前述したようにしてモザイクフィルム１００を取りつけ、それからフィルム支持枠３０にマスクフィルム２００を取り付け、両者をフィルム受板２０の湾曲した受面２０ａにおいて重合させる。組み立て誤差により両フィルム１００，２００はずれている。このずれはゴーストを生む原因となる。そこで、仮止め状態のフィルム支持枠２５の位置調節を行う。以下、詳述する。
【００５７】
図示しない設定スイッチをオンすると、コントローラ８０はこれに応答して、全てのパルスモータ７２を同期制御する。これによりフィルム支持枠３０が円弧軌跡を描いて時計回りに移動する。第１位置検出器８１でスリット８１ａを検出した時にモータ７２を停止させる。これにより、マスクフィルム２００の開口２が第１群の画素１ａに対応した位置になる。
【００５８】
左側の上下位置調節機構５０により、モザイクフィルム１００のモザイク画像表示領域１１０の左側の画素１ａの上下の縁を、マスクフィルム２００の開口２の上下の縁と一致させる。同様にして、右側の上下位置調節機構５０により、モザイクフィルム１００のモザイク画像表示領域１１０の右側の画素１ａの上下の縁を、マスクフィルム２００の開口２の上下の縁と一致させる。このようにしてフィルム支持枠２５の上下位置調節，ひいてはモザイクフィルム１００の上下位置調節が終了する。なお、この上下位置調節は左右別々に行えるので、モザイクフィルム１００の傾きも調整される。
【００５９】
上述の上下位置調節作業を行う際に、一対の左右位置調節機構６０はフィルム支持枠２５のブロック２７から離しておく。上下位置調節作業が終了した後、一方の左右位置調節機構６０を操作して、押圧ロッド６２をブロック２７に当てながらフィルム支持枠２０を微少量横移動させ、これにより、選択した一つの群の画素１ａの左右の縁を、マスクフィルム２００の開口２の左右の縁と一致させる。このようにして左右位置調節が終了した後、他方の左右位置調節機構６０のねじ棒２７を操作してブロック２７に当てる。このようにして、フィルム支持枠２０は横移動を禁じられる。最後にナット６７を締め付けることにより、フィルム支持枠２０を取付フランジ１２に固定する。
【００６０】
上記モザイクフィルム１００は、単に位置決めピン２６，テンションスプリング２８に引っ掛けられているだけであるから、取り替えが簡単である。この取り替えに際してはマスクフィルム２００を一旦取り外す必要がある。また、フィルム１００，２００を再装着した後で、フィルム支持枠２５の位置調節を行う。
【００６１】
本発明は上記実施形態に制約されず、種々の形態を採用可能である。第１，第２実施形態において、マスクフィルムを本体に固定し、モザイクフィルム支持枠を動かしてもよい。
モザイクフィルムとマスクフィルムの一方の縁部を固定状態でフィルム支持枠に取り付け、他方の縁部だけを引張り手段で引っ張るようにしてもよい。
第１，第２、第３の位置検出器は１つずつ装備し、３つの駆動機構に分散配置してもよい。
モザイクフィルムにおいて、直線状に延びる複数群の画素を並べて表示してもよい。
【００６２】
【発明の効果】
以上説明したように本発明によれば、偏心カムと円形の係合穴により、フィルムを安定して間欠移動できるとともに、正確な位置に一時停止させることができ、構造も簡単である。
【図面の簡単な説明】
【図１】本発明の一実施形態をなす表示装置において大きな構成要素のみを示す分解斜視図である。
【図２】同表示装置を、モザイクフィルム，マスクフィルムを省いて示す縦断面図である。
【図３】同表示装置において、本体と、取付フランジより後側の構成とを示す正面図である。
【図４】同表示装置において、上記本体および取付フランジと、それより前側に位置する位置調節機構とを示す正面図である。
【図５】上記モザイクフィルム支持枠の正面図である。
【図６】上記表示装置の右縁部を拡大して示す平断面図である。
【図７】上記モザイクフィルム支持枠を拡大して示す縦断面図である。
【図８】上記表示装置の上部を拡大して示す縦断面図である。
【図９】上記表示装置の上下位置調節機構を拡大して示す正面図である。
【図１０】同表示装置の左右位置調節機構を拡大して示す正面図である。
【図１１】マスクフィルムを移動するための駆動機構に設置される位置検出器の遮光ディスクの正面図であり、（Ａ）は第１位置検出器の遮光ディスク、（Ｂ）は第２位置検出器の遮光ディスク、（Ｃ）は第３位置検出器の遮光ディスクをそれぞれ示す。
【図１２】（Ａ）はモザイクフィルムの正面図であり、（Ｂ）はマスクフィルムの正面図である。
【図１３】（Ａ）はモザイクフィルムの画素を示す拡大正面図であり、（Ｂ）はマスクフィルムの開口を示す拡大正面図である。
【符号の説明】
１ａ〜１ｄ　画素
２　開口（透光部）
１０　本体
２０　フィルム受板
２０ａ　フィルム受面
２５　モザイクフィルム支持枠（モザイクフィルム支持体）
２６　位置決めピン
２７ａ　受面
２８　テンションスプリング（モザイクフィルム引張り手段）
３０　マスクフィルム支持枠（マスクフィルム支持体）
３６　位置決めピン
３８　テンションスプリング（マスクフィルム引張り手段）
４０　蛍光管（照明手段）
５０　上下位置調節機構
５３　リンク
５３ａ　受部
５６　ねじロッド
６０　左右位置調節機構
６１　ブロック（支持部材）
６２　押圧ロッド（押圧部材）
６５　ボルト（フィルム固定手段）
６７　ナット（フィルム固定手段）
７０　駆動機構（フィルム移動手段）
８０　コントローラ（制御手段）
８１　第１位置検出器（第１位置検出手段）
８２　第２位置検出器（第２位置検出手段）
８３　第３位置検出器（第３位置検出手段）
１００　モザイクフィルム
２００　マスクフィルム
【図１】
2004012594.tif 000003
【図２】
2004012594.tif 000004
【図３】
2004012594.tif 000005
【図４】
2004012594.tif 000006
【図５】
2004012594.tif 000007
【図６】
2004012594.tif 000008
【図７】
2004012594.tif 000009
【図８】
2004012594.tif 000010
【図９】
2004012594.tif 000011
【図１０】
2004012594.tif 000012
【図１１】
2004012594.tif 000013
【図１２】
2004012594.tif 000014
【図１３】
2004012594.tif 000015